【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
通信エポック中にコーディネーターから電力を要求するノードであって、
コーディネーターと通信するためのコーディネーターインターフェースを備え、
前記ノードは、
ノード条件の関数として通信エポック中にエネルギーパケットを前記ノードが要求する確率を定義する第１の確率曲線を受信し、
前記ノード条件の値を受信し、
要求確率が「前記第１の確率曲線」と「受信した前記ノード条件の前記値」とに応じて決定されるものであり、通信エポックの要求確率を決定し、
決定された前記要求確率に従って、前記コーディネーターからのエネルギーパケットを要求するように構成される、
ノード。
【請求項２】
前記ノード条件は、ローカルに感知された温度、ローカルに感知された圧力、回転速度、充電状態、および、時間ベースの期限のうちの１つまたは複数である、
請求項１に記載のノード。
【請求項３】
前記確率曲線は、前記ノード条件が下限閾値に到達するにつれて１に近づくと共に前記ノード条件が上限閾値に近づくと０に近づく単調関数である、
請求項２に記載のノード。
【請求項４】
前記ノードは、前記ノード条件が前記下限閾値に到達すると、エネルギーパケットを要求することを止めると共に持続的にエネルギーを引き出し始めるように構成されている、
請求項３に記載のノード。
【請求項５】
前記条件Ｔが上限閾値Ｔｈｉｇｈに到達するにつれて、前記要求確率は、１に近づき、前記条件Ｔが下限閾値Ｔｌｏｗに近づくと、前記要求確率は、０に近づく、
請求項２に記載のノード。
【請求項６】
前記ノードは、前記条件Ｔが前記上限閾値Ｔｈｉｇｈに到達すると、エネルギーパケットを要求することを止めるように構成されている、
請求項５に記載のノード。
【請求項７】
第１のノード状態は、第１の状態要求確率Ｐ１に対応し、
第２のノード状態は、第２の状態要求確率Ｐ２に対応し、
Ｐ１は、Ｐ２よりも大きい、
請求項１に記載のノード。
【請求項８】
前記ノードは、さらに、
前記要求に対する応答を受け取り、
受信した前記応答に基づいて、第２の確率曲線を選択する、
ように構成されており、
前記第２の確率曲線は、前記第１の確率曲線と異なる、
請求項１に記載のノード。
【請求項９】
前記ノードは、受信した応答に基づいて、電力にアクセスするように構成されている、
請求項８に記載のノード。
【請求項１０】
前記ノードは、前記コーディネーターから通信エポックパラメータを受信し、要求間の時間の長さを決定するように構成されている、
請求項１に記載のノード。
【請求項１１】
前記ノードは、分散型エネルギー貯蔵システム（ＤＥＳＳ）であり、
前記ノード状態は、前記ＤＥＳＳの充電状態であり、
前記確率曲線は、充電要求確率曲線であり、
前記ノードは、さらに
放電要求確率曲線に従ってエポックについての放電要求確率を決定するように構成されており、
前記充電状態が充電閾値Ｃｔｈｒｅｓｈへと減少するにつれて、前記充電要求確率曲線は、１に近づき、前記充電状態が放電閾値Ｄｔｈｒｅｓｈへと増加するにつれて、前記放電要求確率確率曲線は、１に近づき、Ｃｔｈｒｅｓｈ＜Ｄｔｈｒｅｓｈであり、
前記ノードは、さらに
前記充電要求確率曲線と前記充電状態とに従って、通信エポックの充電要求確率を決定し、
前記放電要求確率曲線と前記充電状態とに従って、通信エポックの放電要求確率を決定し、
決定した前記充電要求確率に従って、コーディネーターからエネルギーパケットを要求し、
決定した前記充電要求確率に従って、エネルギーパケットを放電することを要求するように構成され、
前記ノードは、与えられた通信エポック中に充電または放電を要求するようにのみ構成されると共に、エネルギーパケットを要求することと、エネルギーパケットを放電するように要求することとを同じ通信エポックで決定する場合に待機状態になるように構成される、
請求項１に記載のノード。
【請求項１２】
前記ノードは、分散型エネルギーリソース（ＤＥＲ）と同じ場所に配置された物理デバイスである、
請求項１に記載のノード。
【請求項１３】
前記ノードは、ＤＥＲを遠隔管理するソフトウェアエージェントである、
請求項１に記載のノード。
【請求項１４】
前記コーディネーターインターフェースは、前記コーディネーターと無線通信する、
請求項１に記載のノード。
【請求項１５】
前記コーディネーターインターフェースは、前記コーディネーターと有線通信する、
請求項１に記載のノード。
【請求項１６】
前記コーディネーターインターフェースは、電力線通信（ＰＬＣ）を使用して前記コーディネーターと通信する、
請求項１５に記載のノード。
【請求項１７】
電力を供給するためのシステムであって、
電源と通信し、各エネルギーパケットが有限の持続時間を有する複数の個別のエネルギーパケットとして、前記電源からの電力供給を許可するように構成されているコーディネーターと、
前記コーディネーターと通信すると共に、請求項１から１１のいずれか１項に記載される１つまたは複数のノードと、を備え、
前記コーディネーターは、
１つ以上の前記ノードから要求を受信し、
前記電力の利用可能性に基づいて、各要求を許可するか拒否するかを決定するように構成されている、
システム。
【請求項１８】
前記コーディネーターは、１つまたは複数の市場条件に基づいて各要求を許可するか拒否するかを決定するようにさらに構成される、
請求項１７に記載のシステム。
【請求項１９】
１つまたは複数の前記ノードのうちの少なくとも１つのノードは、本質的にサーモスタットであり、
少なくとも１つの前記ノードの前記ノード条件は、温度Ｔであり、
前記要求確率は、Ｔが下限閾値Ｔｌｏｗへと到達するにつれて、１に近づき、
前記要求確率は、Ｔが上限閾値Ｔｈｉｇｈに近づくと、前記要求確率は、０に近づく、
請求項１７に記載のシステム。
【請求項２０】
１つまたは複数の前記ノードのうちの少なくとも１つのノードは、本質的にサーモスタットであり、
前記少なくとも１つのノードの前記ノード条件は、温度Ｔであり、
前記要求確率は、Ｔが上限閾値Ｔｈｉｇｈへと到達するにつれて、１に近づき、
前記要求確率は、Ｔが下限閾値Ｔｌｏｗに近づくと、０に近づく、
請求項１７に記載のシステム。
【請求項２１】
１つまたは複数の前記ノードのうちの少なくとも１つのノードは、第１の状態および第２の状態を有し、
前記第１の状態は、前記第１の確率曲線を有し、
前記第２の状態は、前記第２の確率曲線を有する、
請求項１７に記載のシステム。
【請求項２２】
少なくとも１つの前記ノードは、前記第１の状態であり、許可された要求に基づいて前記第１の状態から前記第２の状態に変化するように構成されている、
請求項２１に記載のシステム。
【請求項２３】
少なくとも１つの前記ノードは、前記第１の状態であり、許可された要求に基づいて前記第１の状態に留まるように構成されている、
請求項２１に記載のシステム。
【請求項２４】
少なくとも１つの前記ノードは、前記第２の状態であり、拒否された要求に基づいて前記第２の状態に留まるように構成されている、
請求項２１に記載のシステム。
【請求項２５】
少なくとも１つの前記ノードは、前記第１の状態であり、拒否された要求に基づいて前記第１の状態から前記第２の状態に変化するように構成されている、
請求項２１に記載のシステム。
【請求項２６】
１つまたは複数の前記ノードのうちの少なくとも１つの前記ノードは、第３の状態をさらに含み、
前記第３の状態は、第３の要求確率曲線を有する、
請求項２１に記載のシステム。
【請求項２７】
１つまたは複数の前記ノードのうちの少なくとも１つの前記ノードは、３つを超える状態を含む、
請求項２６に記載のシステム。
【請求項２８】
前記コーディネーターは、電力の利用可能性および／または１つ以上の市場条件を示す利用可能性信号をグリッドオペレーターから受信する、
請求項１７に記載のシステム。
【請求項２９】
前記コーディネーターは、１つ以上の市場条件を示す利用可能性信号をグリッドオペレーターから受信する、
請求項１７に記載のシステム。
【請求項３０】
前記コーディネーターは、前記電力グリッドの状態をモデル化することによって、電力の予測利用可能性を決定する、
請求項１７に記載のシステム。
【請求項３１】
ノードが電力グリッドからの電力のコーディネーターと通信する通信エポック中に電力を要求するための方法であって、  
ノード条件の関数として通信エポック中にエネルギーパケットを要求する確率を定義する充電要求確率曲線を受信するステップと、
前記充電要求確率曲線とノード条件とに従って、エポックについての充電要求確率を決定するステップと、
決定した前記充電要求確率に基づいて前記コーディネーターからエネルギーパケットを要求するステップと、
を備える方法。
【請求項３２】
前記ノード条件は、温度、圧力、回転速度、充電状態、および、時間ベースの期限のうちの１つまたは複数である、
請求項３１に記載の方法。
【請求項３３】
前記ノード条件は、充電状態であり、
複数の放電要求確率曲線から放電要求確率曲線を選択するステップをさらに備え、
前記放電要求確率曲線は、ノード条件の関数として通信エポック中にエネルギーパケットを放電することを要求する確率を、それぞれ定義し、
選択した前記放電要求確率曲線と前記ノード条件に従って、エポックについての放電要求確率を決定するステップと、
前記放電要求確率に基づいて放電要求を送信するステップと、
をさらに備える、
請求項３１に記載の方法。
【請求項３４】
前記充電状態が充電閾値Ｃｔｈｒｅｓｈへと減少するにつれて、前記充電要求確率は、１に近づき、前記充電状態が放電閾値Ｄｔｈｒｅｓｈへと増加するにつれて、前記放電要求確率は１に近づき、Ｃｔｈｒｅｓｈ＜Ｄｔｈｒｅｓｈである、
請求項３３に記載の方法。
【請求項３５】
前記要求確率および前記放電要求確率が、充電要求および放電要求の両方を送信させる起因となるものである場合、充電要求も放電要求も送信されない、
請求項３４に記載の方法。
【請求項３６】
複数の充電要求確率曲線から前記充電要求確率曲線を選択するステップをさらに備える、
請求項３１に記載の方法。
【請求項３７】
前記充電要求確率曲線を選択する前記ステップは、エネルギーパケットの前要求が許可されたか拒否されたかに従って前記充電要求確率曲線を選択することを含む、
請求項３６に記載の方法。